(57)【特許請求の範囲】
【請求項１】
下向きに開口する捕獲空間の開口周縁に沿って吸込み隙間を有するフード部と、
このフード部に開口されている連絡口を介して前記捕獲空間に連通させて前記フード部の上に設置される送風機ユニットと、を備え、
前記吸込み隙間から前記捕獲空間内に吸込み捕集される廃ガスを、前記連絡口から前記送風機ユニットに接続されている排気ダクトを通して屋外に排気するように構成されているレンジフードであって、
前記吸込み隙間から前記連絡口の方向に向けて前記捕獲空間を流れる前記廃ガスを接触させてその流れ方向を変換させるとともに該廃ガス中から油脂分を捕獲する油脂分捕獲部材を、前記廃ガスの流れ方向に対して直交させて備え、
前記油脂分捕獲部材は、前記連絡口から前記送風機ユニット内に向けて臨ませ、前記連絡口の開口縁形状に沿う平面視形状で、前記連絡口の開口周縁との間に前記廃ガスの流れを加速させるための流路を確保する程度の大きさを有する凸形形状の廃ガス接触凸部が形成されており、
さらに、前記油脂分捕獲部材は、前記捕獲空間の下向き開口部に配置されて、該下向き開口周縁との間に前記吸込み隙間を確保する程度の大きさにて略平板形状に形成され、かつ略水平状に設置されたパネル板上に、前記排ガスと接触する外周面を有する前記排ガス接触凸部が突設されていることを特徴とするレンジフード。
【請求項２】
前記捕獲空間が、前記吸込み隙間側から前記連絡口側に至るにしたがって漸次狭く形成されていることを特徴とする請求項１に記載のレンジフード。
【請求項３】
前記廃ガス接触凸部は、内部空間を有する中空状に形成されているとともに、前記送風機ユニット内に向けて臨ませる突端面に通孔を備えていることを特徴とする請求項１または請求項２に記載のレンジフード。
【発明の詳細な説明】
【技術分野】
【０００１】
本発明は、調理中に発生する廃ガス（汚染物質）を吸い込み捕集するための下向きに開口している捕獲空間を備えて扁平箱型に形成されているフード部と、このフード部の上に送風機ユニットを設置してなる薄型タイプのレンジフードに関する。
【背景技術】
【０００２】
レンジフードには、廃ガスの捕獲空間が浅い薄型（平型）タイプのレンジフードと、捕獲空間が高さ方向に深く形成されている深型タイプのレンジフードとがある。
そして、薄型タイプと深型タイプのレンジフードは共に、廃ガス中に含まれている油脂分を捕獲するためのグリスフィルタをフード部内に配置している。
例えば、薄型タイプのレンジフードでは、特許文献１及び特許文献２などにおいて記載されているように、廃ガスを吸い込み捕獲するための捕獲空間を有するフード部の上に捕獲空間に連通させて送風機ユニットを設置している。そして、整流板が備えられている捕獲空間の下向き開口側と送風機ユニット側との間を仕切る位置にグリスフィルタを配置し、このグリスフィルタによって廃ガス中に含まれている油脂分が捕獲されるようにしている。
グリスフィルタとしては、スロットタイプ、或いはパンチングメタルタイプ、そして金網やラス網からなる網目タイプなどが一般的に使用されている。
【特許文献１】特開２００５−２８２８７２号公報（明細書中段落番号００１４、００２０、及び図１、図２参照）  特開２００６−１７０５３９号公報（明細書中段落番号００１１、及び図１参照）
【発明の開示】
【発明が解決しようとする課題】
【０００３】
ところで、前記したいずれのグリスフィルタにおいても、廃ガスが通過するときの廃ガスの接触によって廃ガス中に含まれている油脂分を捕獲する。例えば、スロットタイプにおいては、薄い平板に、一方向に屈折するようにガス接触舌片を斜めに切り起こすることにより平面部分を残すことなく一方向に傾斜させた多数の通気口を設けて、廃ガスがこの通気口を蛇行するように通過するときにガス接触舌片への接触によって油脂分が付着させて捕獲される形成されている。
すなわち、グリスフィルタは廃ガスが通る細かい孔の集合によって構成されているために、徐々に堆積される油脂分によって孔が塞がれる目詰まりを引き起こす。そのために、定期的に油脂分を取り除くための洗浄が必要となるが、構造上、こびりつくように付着した油脂分を細かい孔の集合体から取り除くことは大変面倒で手間が掛かるなどのメンテナンス性に問題が残されていた。
【０００４】
そこで、本発明は、前記課題を解消するために創案されたものであり、廃ガス中に含まれている油脂分を、グリスフィルタを使用することなく、送風機ユニットに連絡するフード部の連絡口の手前で捕獲することができる油脂分捕獲部材を備えたレンジフードを提供することにある。
また、本発明では、フード部の連絡口の近傍における油脂分の捕獲に加えて、送風機ユニットにおいて発生する風切り音（排気騒音）などを低減して騒音レベルを下げることができる油脂分捕獲部材を備えたレンジフードを提供することにある。
【課題を解決するための手段】
【０００５】
前記課題を解決するために、本発明では、下向きに開口する捕獲空間の開口周縁に沿って吸込み隙間を有するフード部と、このフード部に開口されている連絡口を介して前記捕獲空間に連通させて前記フード部の上に設置される送風機ユニットと、を備え、前記吸込み隙間から前記捕獲空間内に吸込み捕集される廃ガスを、前記連絡口から前記送風機ユニットに接続されている排気ダクトを通して屋外に排気するように構成されているレンジフードであって、
前記吸込み隙間から前記連絡口の方向に向けて前記捕獲空間を流れる前記廃ガスを接触させてその流れ方向を変換させるとともに該廃ガス中から油脂分を捕獲する油脂分捕獲部材を、前記廃ガスの流れ方向に対して直交させて備え、前記油脂分捕獲部材は、前記連絡口から前記送風機ユニット内に向けて臨ませ、前記連絡口の開口縁形状に沿う平面視形状で、前記連絡口の開口周縁との間に前記廃ガスの流れを加速させるための流路を確保する程度の大きさを有する凸形形状の廃ガス接触凸部が形成されており、さらに、前記油脂分捕獲部材は、前記捕獲空間の下向き開口部に配置されて、該下向き開口周縁との間に前記吸込み隙間を確保する程度の大きさにて略平板形状に形成され、かつ略水平状に設置されたパネル板上に、前記排ガスと接触する外周面を有する前記排ガス接触凸部が突設されていることを特徴とする。
【０００６】
このような構成によれば、送風機ユニットの吸引力により吸込み隙間から捕獲空間に吸い込み捕集される廃ガスが、送風機ユニットとの連絡口の方向に向けて流れるときに、油脂分捕獲部材への接触によって流れ方向が変換される。このときに発生する慣性力（慣性抵抗）によって廃ガス中に含まれている油脂分が油脂分捕獲部材に付着されて捕獲される。
そして、廃ガス接触凸部を連絡口から送風機ユニット内に臨むように配置している構成によれば、連絡口の開口周縁と廃ガス接触凸部との間に確保されている流路によって送風機ユニット内に向けた廃ガスの流れが加速される。
これにより、廃ガスの廃ガス接触凸部への接触によって流れ方向が送風機ユニット内の方向に向けた略直角方向に変換されるときに、勢い良く変換される。換言すれば、廃ガスの流れ方向が連絡口の手前で送風機ユニット内の方向に向けた略直角方向に向けて変換されるときに発生する大きな慣性力によって廃ガス中に含まれている油脂分を廃ガス接触凸部の凸外周面に勢い良く付着させて捕獲することができる。
【０００８】
このような構成によれば、前記したように、廃ガス中の油脂分が捕獲回収される捕獲作用に加えて、油脂分捕獲部材のパネル板を捕獲空間の下向き開口部に配置することにより、捕獲空間の下向き開口周縁との間に吸込み隙間を確保することができる。
すなわち、油脂分捕獲部材のパネル板は、周知の整流板を兼ねることができる。
これにより、周知の整流板に廃ガス接触凸部を備えるという簡単な構成で、廃ガスを接触させて油脂分を捕獲回収するための油脂分捕獲部材を、既設のレンジフードに備えることができる。
しかも、パネル板を周知の整流板と同様に、捕獲空間の下向き開口部に開閉可能で、なおかつ、着脱自在に取り付けることによって、パネル板の上に溜まった油脂分や廃ガス接触突部の凸外周面に付着した油脂分を取り除くなどの日常的なメンテナンス性の向上が図られる。
【０００９】
また、本発明では、前記捕獲空間が、前記吸込み隙間側から前記連絡口側に至るにしたがって漸次狭く形成されていることを特徴とする。具体的に説明すると、前記連絡口に接続口を介して接続させてフード部内に備えられることで、下向きに開口する前記捕獲空間を形成するフードカバーと、前記パネル板との間が前記吸込み隙間側から前記連絡口側に至るにしたがって漸次狭くなるように、前記フードカバーを形成することが好適なものとなる。
【００１０】
このような構成によれば、吸込み隙間から捕獲空間に吸い込み捕集された廃ガスが連絡口の方向に向けて流れるときに、廃ガスの流れが連絡口へ近づくに連れて徐々に加速される。
これにより、廃ガスは、連絡口の手前で廃ガス接触凸部に勢い良く接触しながら送風機ユニット内に向けた略直角方向の流れ方向に変換される。このときに発生する大きな慣性力によって廃ガス中に含まれている油脂分を廃ガス接触凸部の凸外周面に勢い良く付着させて捕獲することができる。
また、斯かる構成によれば、前記した連絡口の開口周縁と廃ガス接触凸部との間に確保されている流路による廃ガスの加速との相乗作用によって廃ガスの流れ方向が送風機ユニット内の方向に向けた略直角方向に変換されるときに、より一層大きな慣性力を発生させて廃ガス中に含まれている油脂分を廃ガス接触凸部の凸外周面に勢い良く付着させることができる。
【００１１】
さらに、本発明では、前記廃ガス接触凸部は、内部空間を有する中空状に形成されているとともに、前記送風機ユニット内に向けて臨ませる突端面に通孔を備えていることを特徴とする。
【００１２】
このような構成によれば、廃ガス接触凸部は、前記したように、廃ガスの接触によって油脂分を捕獲回収する捕獲作用に加えて、送風機ユニット内で発生する風切り音などの騒音、例えば、フード部の連絡口から送風機ユニットを構成する排気ボックス内に流れる廃ガスの該排気ボックス内における流れの干渉（衝突）などによる乱流、そして、排気ファンが収容されているファンケーシングの吸込み口からファンケーシング内に廃ガスが吸い込まれるときに生じる空気抵抗などにより、排気ボックス内に発生する騒音を、捕獲空間から連絡口を通って排気ボックス内に向けて流れる廃ガスの風路方向に向けて開口する通孔と内部空間とによって吸音する吸音作用をも兼ね備える。
すなわち、共鳴周波数の騒音が廃ガス接触凸部の内部空間（共鳴室）に入射し、共鳴器のネックとなる通孔の空気が激しく振動し、摩擦損失にて吸音される。
【発明の効果】
【００１３】
本発明のレンジフードは、以上のように構成されていることで、吸込み隙間から勢い良く流速を速めてフード部の捕獲空間に吸い込み捕集された廃ガスが、送風機ユニットとの連絡口の方向に向けて捕獲空間を流れる流れ方向は、油脂分捕獲部材への接触によって変換され、このときに発生する慣性力（慣性抵抗）によって廃ガス中に含まれている油脂分が油脂分捕獲部材に付着されて捕獲される。
しかも、連絡口に向けて流れる廃ガスの流れ方向は、連絡口から送風機ユニット内に向けて臨むように配置されている油脂分捕獲部材の廃ガス接触凸部への接触によって連絡口の手前で送風機ユニットの方向に向けた略直角方向に変換される構成としていることで、廃ガスを廃ガス接触凸部に勢い良く接触させながらより大きな慣性力（慣性抵抗）を発生させて廃ガス中に含まれている油脂分を廃ガス接触凸部の凸外周面に勢い良く付着させて捕獲することができる。よって、連絡口の手前で廃ガス中の油脂分を確実の捕獲回収することが期待できる。
これにより、グリスフィルタを使用することなく廃ガス中に含まれている油脂分を効率的に、かつ、確実に捕獲回収することができる。
【００１４】
また、本発明では、油脂分捕獲部材を、捕獲空間の開口周縁との間に吸込み隙間を確保するためのパネル板を備えている。すなわち、パネル板は周知の整流板を兼ねることができるために、周知の整流板に廃ガス接触凸部を備えるという簡単な構成で、廃ガスを接触させて油脂分を捕獲回収するための油脂分捕獲部材を形成することができる。これにより、周知のレンジフードに大掛かりな改良を施すことなく、油脂分捕獲部材を簡単に、低コストにて備えることができる。
しかも、パネル板を周知の整流板と同様に、捕獲空間の下向き開口部に開閉可能で、なおかつ、着脱自在に取り付けることによって、シンクなどで丸洗いすることができる。よって、パネル板の上に溜まった油脂分や廃ガス接触突部の凸外周面に付着した油脂分を取り除くなどの洗浄性を向上させて日常的なメンテナンス性の向上を期待することができる。
【００１５】
さらに、本発明では、中空状に形成されている廃ガス接触凸部の廃ガスの流れる風路方向に向けて開口する通孔と内部空間（共鳴室）とよって送風機ユニット内（排気ボックス内）に対してヘルムホルツの共鳴器を構成することができる。
これにより、送風機ユニット内で発生する風切り音などの騒音を廃ガス接触部内内に吸音することができるために、送風機ユニット内の騒音レベルの低減をも期待することができる油脂分捕獲部材を備えたレンジフードを提供することができる。
【発明を実施するための最良の形態】
【００１６】
以下、本発明の実施形態について、適宜図面を参照しながら詳細に説明する。
図１は、第１の実施形態に係る油脂分捕獲部材を備えたレンジフードを示す縦断側面図であり、図２は、同レンジフードの横断平面図である。
レンジフードには、壁取り付けタイプと、天井取り付けタイプ（アイランド型）とがあるが、本実施形態では、壁取り付けタイプのレンジフードを一例に挙げて説明する。
【００１７】
≪レンジフードの構成≫
レンジフードＡは、図示省略の加熱調理器具の略真上において設置され、調理中に発生する廃ガスＧを吸い込み捕獲しながら排気ダクト３を通して屋外に排気するように構成されている。
このレンジフードＡは、図１及び図２に示すように、平型（薄型）のフード部１の上に送風機ユニット２を設置することにより構成されている。
また、レンジフードＡは、図１に示すように、送風機ユニット２及び排気ダクト３を目隠すように、フード部１の天板１ａから台所の天井Ｋ−２に至るように形成されている幕板４を、適宜取り外すことができるように備えている。
【００１８】
≪フード部の構成≫
フード部１は、図１に示すように、下向きに開口する捕獲空間Ｍを有する扁平箱型に形成されている。
そして、フード部１は、図１及び図２に示すように、天板１ａに連絡口５を備えている。
この連絡口５は、送風機ユニット２の後記する排気ボックス２ａ内と捕獲空間Ｍとを連通させるためのものであり、天板１ａのほぼ中央部位に所定の開口面積にて設けられている。
【００１９】
また、フード部１は、図１に示すように、連絡口５の下側に、捕獲空間Ｍの下向き開口部側と連絡口５側とを仕切るようにフードカバー６を備えることによって、下向きに開口する浅い捕獲空間Ｍが形成されるようになっている。
フードカバー６は、プレス加工などによって一体に折り曲げ形成されるものであり、フード部１の連絡口５に対応させた部位で、該連絡口５の開口周縁形状（開口面積）にて立ち上げ開口させた接続口８を備えている。この接続口８を連絡口５の開口周縁にネジ止めやスポット溶接などにより接続させることにより、接続口８、連絡口５を介して送風機ユニット２の排気ボックス２ａ内と捕獲空間Ｍとが連通するようにしている。
【００２０】
なお、図示を省略しているが、接続口８をフードカバー６に立ち上げ開口せずに、連絡口５をフード部１の天板１ａから垂れ下げように設けて、フードカバー６の接続孔にネジ止めなどやその他の接続手段によって接続することができる。
【００２１】
さらに、フード部１は、図１に示すように、捕獲空間Ｍの下向き開口周縁９との間に吸込み隙間Ｓを確保するように、後記する油脂分捕獲部材１０のパネル板１０ａを備えている。これにより、加熱調理器具や調理鍋などから立ち昇る廃ガスＧがパネル板１０ａに沿って吸込み隙間Ｓから勢い良く流速を速めて捕獲空間Ｍ内に吸い込み捕集されるようにしている。
【００２２】
≪送風機ユニットの構成≫
送風機ユニット２は、図１に示すように、排気ボックス２ａと、この排気ボックス２ａ内におけるフード部１の連絡口５に連通する前半部側を除く後半部側に位置して縦置きに内設される排気装置２ｂとを備えて構成されている。
【００２３】
≪排気ボックスの構成≫
排気ボックス２ａは、図１に示すように、フード部１の天板１ａに開口されている連絡口５に、前半部を連通させるように、天板１ａの上にネジ止めなどによって取り付けられる横断平面視で略四角形状に形成されている。
【００２４】
≪排気装置の構成≫
排気装置２ｂは、図１及び図２に示すように、排気ダクト３が接続される接続筒を円周の上面部位に備えているファンケーシング１１内に、ファンモータ１２に軸支させて排気ファン（遠心ファン、多翼ファン）１３を同軸上に収容させた構成としている。
【００２５】
≪ファンケーシングの構成≫
ファンケーシング１１は、ボリュート形状の胴部の前後に前側板と後側板を溶接などによって固着することで形成されている。
そして、このファンケーシング１１は、排気ダクト３に接続される上部開口を、排気ボックス２ａの上面板に、図示省略の掛止爪と掛止孔との関係などによって掛脱可能に、または、ネジ止めなどによって取り付けられる。
これにより、ファンケーシング１１は、排気ボックス２ａ内におけるフード部１の連絡口５に連通する前半部側に確保される廃ガスＧの流入空間Ｎを除く後半部側に位置して縦置きに内設されることで、ベルマウス１４によって形成される吸込み口１５を、流入空間Ｎ側に向けて開口させた正面向き状態で排気ボックス２ａ内に収容される。
【００２６】
そして、本実施形態のレンジフードＡは、図１に示すように、フード部１内の捕獲空間Ｍに油脂分捕獲部材１０を備えている。
【００２７】
≪第１の実施形態に係る油脂分捕獲部材の構成≫
図３は、第１の実施形態に係る油脂分捕獲部材を示す斜視図である。ここでは、図１を適宜参照しながら説明する。
油脂分捕獲部材１０は、図１に示すように、フードカバー６に支持されて捕獲空間Ｍの下向き開口周縁９と略面一の状態で取り付けられるパネル板１０ａと、連絡口５から排気ボックス２ａの流入空間Ｎに向けて臨む位置においてパネル板１０ａから略凸形形状に突設される廃ガス接触凸部１０ｂとを備えて構成されている。
【００２８】
≪パネル板の構成≫
パネル板１０ａは、捕獲空間Ｍの下向き開口形状とほぼ同じ平面視形状で、該開口面積よりも一回りほど小さい略平板形状に形成されている。すなわち、周知の整流板と同じく平面視で略矩形形状に形成されているとともに、各辺周縁には適宜の高さに折り曲げ立ち上げた縁辺部７を備えている。
そして、このパネル板１０ａは、図１及び図３に示すように、捕獲空間Ｍを形成するフードカバー６の後側に備えられている左右の支持部材１６によって、後側が回動可能で適宜脱着されるように支持され、フードカバー６の前側に備えられている左右の係脱部材１７によって、前側が係脱自在に支持されている。
これにより、油脂分捕獲部材１０に付着した油脂分を拭き取る。すなわち、図１の拡大図において示すように、パネル板１０ａの上に溜まった油脂分や廃ガス接触凸部１０ｂの凸外周面に付着した油脂分を拭き取るときに、パネル板１０ａをフード部１の後側（キッチン壁面Ｋ−１側）に向けて下向きに回動させる。または、油脂分捕獲部材１０をシンクなどにおいて丸洗いするときに取り外すことができるようにしている。
【００２９】
≪支持部材の構成≫
左右の支持部材１６は、図１及び図３に示すように、フードカバー６側に取り付けられる側面視で略Ｌ字形状のフック部１６ａと、このフック部１６ａに回動可能で、且つ、適宜着脱し得るようにパネル板１０ａ側に取り付けられる平面視で略コの字形状の引掛け杆部１６ｂとを備えて構成されている。
【００３０】
≪係脱部材の構成≫
図４は、係脱部材を示す斜視図及び正面図である。
左右の係脱部材１７は、図１及び図４に示すように、フード部１の天板１ａの下面に取り付けられる圧縮ばね１８により付勢される可動ピン１７ａと、この可動ピン１７ａに交差する関係で係脱自在に係止されるように、パネル板１０の上面に取り付けられるピン係止孔２５を有する係止体１７ｂとを備えて構成されている。
【００３１】
可動ピン１７ａは、天板１ａの裏面にＬ形のブラケット２０を介して取り付けられるばね収容体２１に進退自在に備えられて、ばね収容体内２１に収容されている圧縮ばね１８により前進され（図４の（ａ）参照）、圧縮ばね１８に抗してばね収容体２１内に後退（押動）されるようになっている（図４の（ｂ）参照）。
この可動ピン１７ａは、図４に示すように、やや大きめの外径に形成されている頭部２２と、バネ収容体２１内に進退動自在に組み込まれる軸部２３とで形成されている。
【００３２】
係止体１７ｂは、図４に示すように、可動ピン１７ａの頭部２２を圧縮ばね１８に抗して後退させるために外向き傾斜させた舌片部２４を先端部側に備えている。
また、係止体１７ｂは、可動ピン１７ａを係脱自在に係止させるためのピン係止孔２５を備えている。このピン係止孔２５は、係止体１７ｂの中央部位に可動ピン１７ａの頭部２２よりも大径な開口部２５ａと、この開口部２５ａの上位側に連通させて可動ピン１７ａの軸部２３を受け止めるための軸受け部２５ｂとから略ダルマ孔形状に形成されている。
【００３３】
また、パネル板１０ａは、図１の拡大図に示すように、廃ガスＧの接触による流れ方向の変換によって廃ガス接触凸部１０ｂの凸外周面に付着されてパネル板１０の裏面に流下（滴下）される油脂分を回収するためのオイル回収窓２６を備え、このオイル回収窓２６の開口下面側（表面側）にはオイルトレイ２７を備えている。
なお、図示を省略しているが、オイルトレイ２７は、スライド方式などによって適宜の手段によってパネル板１０に着脱可能に備えられており、前記したように、左右の係脱部材１７によるパネル板１０の係止状態を解除させて、パネル板１０を左右の支持部材１６を支点として下向きに回動させてフード部１の捕獲空間Ｍを開くときなどにおいて、簡単に取り外せるようになっている。
【００３４】
≪廃ガス接触凸部の構成≫
廃ガス接触凸部１０ｂは、図１に示すように、吸込み隙間Ｓから捕獲空間Ｍに吸い込み捕集された廃ガスＧが連絡口５（接続口８）の方向に向けて流れ、該連絡口５の手前において廃ガスＧの接触によって流れ方向を排気ボックス２ａの流入空間Ｎの方向に向けて変換し、このときに発生する慣性力（慣性抵抗）によって廃ガスＧ中に含まれている油脂分を付着させて捕獲する役目を成すものである。
この廃ガス接触凸部１０ｂは、プレス加工と絞り曲げ加工などによって一体に形成されるものであり、図２及び図３に示すように、連絡口５の開口周縁形状に沿ってその開口面積よりも一回りほど小さい平面視形状に形成されている。
そして、廃ガス接触凸部１０ｂは、図１に示すように、突端面が排気ボックス２ａ内の流入空間Ｎに向けて臨む高さで下面を開放させた中空状の略凸形形状に形成されている。
また、この廃ガス接触凸部１０ｂは、開放する下端周縁に外向きに折り曲げ形成されている止着縁部２８を備え、パネル板１０ａにスポット溶接やネジ止めなどに適宜の止着手段によって取り付けられるように形成されている。
【００３５】
このように形成されている廃ガス接触凸部１０ｂは、周知の整流板と同じく、フード部１の捕獲空間Ｍの下向き開口周縁９と略面一に位置合せされて前記した支持部材１６、係脱部材１７によって支持されるパネル板１０ａにおける連絡口５に対応する部位に取り付けられることで、連絡口５の開口軸芯に芯合わせされた状態で、連絡口５から排気ボックス２ａ内の流入空間Ｎに向けて臨むように配置される。
これにより、図１及び図２に示すように、廃ガス接触凸部１０ｂは、吸込み隙間Ｓから連絡口５に向けて捕獲空間Ｍを流れる廃ガスＧの流れ方向に対して凸外周面を直交させ、該凸外周面への接触によって流れ方向が流入空間Ｎの方向に向けて変換された廃ガスＧの流れを加速させるための流路Ｒを連絡口５及び接続口８の開口周縁との間に確保する。
【００３６】
［作用の説明］
次に、このように形成されている油脂分捕獲部材１０のパネル板１０ａを周知の整流板と同じく、フード部１の捕獲空間Ｍの下向き開口部に支持させることにより、廃ガス接触凸部１０ｂを連絡口５から送風機ユニット２の流入空間Ｎ内に向けて臨ませるように配置させてなる第１の実施形態に係るレンジフードＡの作用について簡単に説明する。ここでは、図１及び図２を適宜参照しながら説明する。
排気装置２ｂの吸引力により吸込み隙間Ｓからフード体１内の捕集空間Ｍに吸い込み捕集された廃ガスＧが、図１に示すように、連絡口５（接続口８）の方向に向けて捕獲空間Ｍを流れ、連絡口５から排気ボックス２ａの流入空間Ｎに向けて流れるときに、連絡口５の手前において油脂分捕獲部材１０の廃ガス接触凸部１０ｂへの接触により流れ方向が流入空間Ｎの方向に向けて略直角方向に変換される。すると、廃ガス接触凸部１０ｂの凸外周面への接触により流入空間Ｎの方向に向けた流れに変換された廃ガスＧは、連絡口５（接続口８）との間に確保されている流路Ｒによって流入空間Ｎへの流れが加速される。
これにより、廃ガスＧの流れ方向が連絡口５の手前で流入空間Ｎの方向に向けて変換されるときに大きな慣性力（慣性抵抗）が発生し、この大きな慣性力によって廃ガスＧが廃ガス接触凸部１０ｂの凸外周面に接触し、廃ガスＧ中に含まれている油脂分が、図１の拡大図に示すように、廃ガス接触凸部１０ｂの凸外周面に付着されて捕獲される。
【００３７】
そして、廃ガス接触凸部１０ｂの凸外周面への廃ガスＧの接触によって、廃ガスＧ中から分離捕獲された油脂分は、パネル板１０ａの上に流下（滴下）してオイル回収窓２６からオイルトレイ２７内に回収される。
【００３８】
また、丸洗いによって油脂分を取り除くなどの定期的、日常的なメンテナンスのときには、油脂分捕獲部材１０のパネル板１０ａをフード部１から取り外すことによって、シンクなどで丸洗いすることができる。
【００３９】
≪第２の実施形態に係る油脂分捕獲部材の構成≫
図５は、第２の実施形態に係る油脂分捕獲部材を示す斜視図であり、図６は、第２の実施形態に係る油脂分捕獲部材を備えたレンジフードを示す縦断側面図である。
なお、この実施形態に係るレンジフードＡ−１は、フード部１の連絡口５−１及びフードカバー６の接続口８−１の開口形状と、この連絡口５−１から排気ボックス２ａの流入空間Ｎの方向に向けて臨ませるようにパネル板１０ａに配置される油脂分捕獲部材１０−１の廃ガス接触凸部１０ｂ−１の凸形形状とを変えた以外の構成要素においては前記した実施形態と基本的に同じことから同じ構成要素に同じ符合を付することで重複説明は省略する。
すなわち、廃ガス接触凸部１０ｂ−１は、図５及び図６に示すように、平面視で略楕円形状に穿設される連絡口５−１の開口形状に沿わせてパネル板１０ａから突設させた略下向きＵ字形状（略ドーム形状）に形成されている。
そして、この廃ガス接触凸部１０ｂ−１は、開放する下端周縁に外向きに折り曲げ形成されている止着縁部２９を備え、パネル板１０ａにスポット溶接やネジ止めなどに適宜の止着手段によって取り付けられるように形成されている。
【００４０】
図７は、第１の実施形態に係る油脂分捕獲部材を備えたレンジフードの他の実施形態を示す縦断側面図である。
なお、この実施形態に係るレンジフードＡ−２は、図７に示すように、捕獲空間Ｍが、吸込み隙間Ｓ側から連絡口５（接続口８）側に至るにしたがって漸次狭くなるように、フードカバー６の天板６ａが下向き傾斜状に形成されている以外の構成要素においては前記した第１の実施形態に係る油脂分捕獲部材１０を備えているレンジフードＡと基本的に同じことから同じ構成要素に同じ符合を付することで重複説明は省略する。
すなわち、フードカバー６の天板６ａは、油脂分捕獲部材１０のパネル板１０ａとの間が、吸込み隙間Ｓ側から連絡口５（接続口８）側に至るにしたがって漸次狭くなるように形成されている。これにより、吸い込み隙間Ｓから捕獲空間Ｍに吸い込み捕集された廃ガスＧが連絡口５の方向に向けて流れる捕獲空間Ｍが、吸込み隙間Ｓ側から連絡口５側に至るにしたがって漸次狭くなるようにしている。
【００４１】
このように構成されているレンジフードＡ−２によれば、吸い込み隙間Ｓから捕獲空間Ｍに吸い込み捕集された廃ガスＧが連絡口５の方向に向けて流れるときに、廃ガスＧの流れが連絡口５へ近づくに連れて加速される。
これにより、廃ガスＧは、廃ガス接触凸部１０ｂの凸外周面に勢い良く接触しながら流れ方向が、送風機ユニット２の流入空間Ｎの方向に向けた略直角方向の流れに変換され、そして連絡口５（接続口８）との間に確保されている流路Ｒによって流入空間Ｎに流れるときの流れがさらに加速される。このときに発生するより大きな慣性力によって廃ガスＧ中に含まれている油脂分は廃ガス接触凸部１０ｂの凸外周面に勢い良く付着させて捕獲される。よって、廃ガス接触凸部１０ｂへの接触と、このとき発生するより大きな慣性力によって油脂分を効率よく捕獲回収することができる。
【００４２】
≪第３の実施形態に係る油脂分捕獲部材の構成≫
図８は、第３の実施形態に係る油脂分捕獲部材を備えたレンジフードを示す縦断側面図である。ここでは、図３を適宜参照しながら説明する。
なお、この実施形態に係るレンジフードＡ−３は、図８に示すように、捕獲空間Ｍに第３の実施形態に係る油脂分捕獲部材１０−２のパネル板１０ａをフードカバー６に支持させ、なおかつ、捕獲空間Ｍの下向き開口部には周知の整流板３０を備えて下向き開口周縁９との間に吸込み隙間Ｓを確保するようにした以外の構成要素においては前記した第１の実施形態に係る油脂分捕獲部材１０を備えているレンジフードＡと基本的に同じことから同じ構成要素に同じ符合を付することで重複説明は省略する。
すなわち、油脂分捕獲部材１０−２は、図３において示すパネル板１０ａを連絡口５の開口形状に沿わせた平面視形状で、連絡口５の開口面積よりも二回りほど大きめに形成することにより、オイルトレイ１０ａ−２としている。そして、連絡口５から排気ボックス２ａの流入空間Ｎに向けて臨む位置においてオイルトレイ１０ａ−２から略凸形形状に突設される廃ガス接触凸部１０ｂを備えた構成としている。
これにより、前記した各実施形態のレンジフードＡ，Ａ−１，Ａ−２のように、捕獲空間Ｍの下向き開口周縁９との間に吸込み隙間Ｓを確保するように備えられる整流板３０にはオイル回収窓２６やオイルトレイ２７を備えることなく、油脂分捕獲部材１０−２自体が廃ガス接触凸部１０ｂの凸外周面に付着されて捕獲された油脂分をオイルトレイ１０ａ−２内によって回収するようにしている。
【００４３】
なお、オイルトレイ１０ａ−２及び整流板３０のフードカバー６に対する支持は、図８に示すように、前記した支持部材１６と係脱部材１７を用いて、それぞれ回動可能で、且つ、適宜着脱し得るようにしている。
【００４４】
≪第４の実施形態に係る油脂分捕獲部材の構成≫
図９は、第４の実施形態に係る油脂分捕獲部材を備えたレンジフードを示す縦断側面図であり、図１０は、第４の実施形態に係る油脂分捕獲部材を示す斜視図である。
なお、この実施形態に係るレンジフードＡ−４は、図９及び図１０に示すように、密閉された内部空間３１を有する廃ガス接触凸部１０ｂ−２の流入空間Ｎに向けて臨ませる突端面に通孔３２を備えている以外の構成要素においては前記した第１の実施形態に係る油脂分捕獲部材１０を備えているレンジフードＡと基本的に同じことから同じ構成要素に同じ符合を付することで重複説明は省略する。
すなわち、廃ガス接触凸部１０ｂ−２は、図９及び図１０に示すように、流入空間Ｎに向けて臨ませる突端面に無数の通孔３２を碁盤目状に備えている。そして、共鳴室となる内部空間３１には繊維質の吸音材３３を内在させた構成としている。
【００４５】
このように、廃ガス接触凸部１０ｂ−２の流入空間Ｎに向けて臨ませる突端面に無数の通孔３２を備え、共鳴室となる内部空間３１には繊維質の吸音材３３を内在させた油脂分捕獲部材１０−３を備えたレンジフードＡ−４によれば、前記した実施形態のように、廃ガスＧの接触による流れ方向の変換によって油脂分が捕獲回収される捕獲作用に加えて、送風機ユニット２の排気ボックス２ａ内で発生する風切り音などの騒音、例えば、フード部１の連絡口５から排気ボックス２ａの流入空間Ｎに流入される廃ガスＧの該流入空間Ｎにおける流れの干渉（衝突）などによる乱流、そして、シロッコファンなどの排気ファン１３が収容されているファンケーシング１１の吸込み口１５から廃ガスＧがファンケーシング１１内に吸い込まれるときに生じる空気抵抗などにより、流入空間Ｎに発生する騒音を、捕獲空間Ｍから連絡口５（接続口８）を通ってファンケーシング１１の吸込み口１５に向けて流れる廃ガスＧの風路方向に向けて開口する無数の通孔３２と内部空間３１とよって吸音する吸音作用が得られる。
すなわち、共鳴周波数の騒音が廃ガス接触凸部１０ｂ−２の共鳴室となる内部空間３１に入射し、共鳴器のネックとなる通孔３２の空気が激しく振動し、摩擦損失にて吸音される。
これにより、廃ガスＧ中に含まれている油脂分を捕獲回収する前記した各実施形態のレンジフードＡ，Ａ−１，Ａ−２，Ａ−３における捕獲作用に加えて、排気ボックス２ａ内で発生する風切り音などの騒音を大きく低減することができる吸音作用をも兼ね備えたレンジフードＡ−４とし得る。
【００４６】
なお、本発明の実施形態の具体的な構成は、前記した各実施形態に限られるものではなく、請求項１から請求項３に記載の本発明の要旨を逸脱しない範囲で設計変更などがあっても本発明に含まれるものである。
例えば、油脂分捕獲部材は、連絡口５の開口周縁形状（開口面積）よりも一回りほど大きめの平面視形状で、凸外周面に接触して流れ方向が変換された廃ガスＧを連絡口５の方向に向けて流すための隙間をフードカバー６の天板６ａとの間に確保する程度の高さに形成されている廃ガス接触凸部を、パネル板１０ａやオイルトレイ１０ａ−２に備えた構成とすることができる。
また、廃ガス接触凸部の凸外周面に、廃ガスＧの流れ方向に対して直交（交叉）させた舌片状や凸凹状の廃ガス接触突条などを備えることができる。これにより、廃ガスＧとの接触作用を高めて、このときに発生する慣性力（慣性抵抗）による油脂分の捕獲効率をより一層向上させることができる。
【図面の簡単な説明】
【００４７】
【図１】第１の実施形態に係る油脂分捕獲部材を備えたレンジフードを示す縦断側面図である。
【図２】同レンジフードの横断平面図である。
【図３】第１の実施形態に係る油脂分捕獲部材を示す斜視図である。
【図４】係脱部材を示す斜視図及び正面図である。
【図５】第２の実施形態に係る油脂分捕獲部材を示す斜視図である。
【図６】第２の実施形態に係る油脂分捕獲部材を備えたレンジフードを示す縦断側面図である。
【図７】第１の実施形態に係る油脂分捕獲部材を備えたレンジフードの他の実施形態を示す縦断側面図である。
【図８】第３の実施形態に係る油脂分捕獲部材を備えたレンジフードを示す縦断側面図である。
【図９】第４の実施形態に係る油脂分捕獲部材を備えたレンジフードを示す縦断側面図である。
【図１０】吸音作用を兼ね備えた第４の実施形態に係る油脂分捕獲部材を示す斜視図である。
【符号の説明】
【００４８】
Ａ，Ａ−１，Ａ−２，Ａ−３，Ａ−４  レンジフード
１      フード部
１ａ    天板
２      送風機ユニット
２ａ    排気ボックス
２ｂ    排気装置
３      排気ダクト
５      連絡口
６      フードカバー
８      接続口
９      下向き開口周縁
１０，１０−１，１０−２，１０−３  油脂分捕獲部材
１０ａ  パネル板
１０ａ−２  オイルトレイ
１０ｂ，１０ｂ−１，１０ｂ−２  廃ガス接触凸部
１５    吸込み口
３１    内部空間（共鳴室）
３２    通孔
Ｓ      吸込み隙間
Ｍ      捕獲空間
Ｎ      流入空間
Ｇ      廃ガス
【図１】
0005060255.tif 000002
【図２】
0005060255.tif 000003
【図３】
0005060255.tif 000004
【図４】
0005060255.tif 000005
【図５】
0005060255.tif 000006
【図６】
0005060255.tif 000007
【図７】
0005060255.tif 000008
【図８】
0005060255.tif 000009
【図９】
0005060255.tif 000010
【図１０】
0005060255.tif 000011